【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
底面に標本が載置された第１標本載置部材と、該第１標本載置部材と異なる形状の底面に標本が載置された第２標本載置部材とを個別に保持する保持ユニットと、
前記標本を観察する対物レンズと、
を備えた顕微鏡において、
前記保持ユニットは、
形成された開口を覆う態様で開口縁部の上面に前記第１標本載置部材が載置された場合に該第１標本載置部材を保持し、前記対物レンズの光軸上で前記第１標本載置部材に載置された標本の観察を可能にする第１保持部材と、
開口を有し、付設された支持部材により前記第２標本載置部材が前記開口を臨む態様で支持された場合に該第２標本載置部材を保持し、前記対物レンズの光軸上で前記第２標本載置部材に載置された標本の観察を可能にする第２保持部材と、
前記第１保持部材が前記第２保持部材に対して相対的に移動可能となる態様で、第１保持部材と第２保持部材とを係合する係合手段と
を備え、
前記係合手段は、前記第１保持部材に保持された第１標本載置部材の標本の観察を行う場合には、前記第１保持部材と前記第２保持部材とを互いの開口が対向する態様で重なった状態にする一方、前記第２保持部材に保持された第２標本載置部材の標本の観察を行う場合には、前記第２保持部材の外方域に前記第１保持部材を退避移動させた状態にすることを特徴とする顕微鏡。
【請求項２】
前記第１標本載置部材の底面は円形状であり、前記第２標本載置部材の底面は矩形状であることを特徴とする請求項１に記載の顕微鏡。
【請求項３】
前記第１保持部材は、形成された円形状の開口を覆う態様で開口縁部の上面に前記第１標本載置部材が載置された場合に該第１標本載置部材を保持し、
前記第２保持部材は、矩形状の開口を有し、付設された支持部材により前記第２標本載置部材が前記開口を臨む態様で支持された場合に該第２標本載置部材を保持することを特徴とする請求項２に記載の顕微鏡。
【請求項４】
前記保持ユニットに保持された第１標本載置部材、あるいは第２標本載置部材に対して前記対物レンズを近接離反する態様で変位させる変位機構を備え、
前記係合手段は、前記変位機構が前記対物レンズを予め決められた変位量だけ変位するまで前記第１保持部材の相対的な移動を規制することを特徴とする請求項１に記載の顕微鏡。
【請求項５】
前記第１保持部材が前記第２保持部材に対して退避移動させた状態、あるいは重なった
状態にあるかを検知する検知手段と、
切換指令が与えられ、かつ前記検知手段により退避移動させた状態にあることが検知された場合に、前記第１保持部材を前記第２保持部材に重なった状態になるまで移動させる一方、切換指令が与えられ、かつ前記検知手段により重なった状態にあることが検知された場合に、前記第１保持部材を退避移動させる制御手段を備えたことを特徴とする請求項１に記載の顕微鏡。
【請求項６】
前記保持ユニットに保持された第１標本載置部材、あるいは第２標本載置部材に対して前記対物レンズを近接離反する態様で変位させる変位機構を備え、
前記制御手段は、切換指令が与えられた場合であっても前記変位機構が前記対物レンズを予め決められた変位量だけ変位するまで前記第１保持部材の相対的な移動を規制することを特徴とする請求項５に記載の顕微鏡。
【手続補正２】
【補正対象書類名】明細書
【補正対象項目名】０００８
【補正方法】変更
【補正の内容】
【０００８】
上記目的を達成するために、本発明の請求項１に係る顕微鏡は、底面に標本が載置された第１標本載置部材と、該第１標本載置部材と異なる形状の底面に標本が載置された第２標本載置部材とを個別に保持する保持ユニットと、前記標本を観察する対物レンズとを備えた顕微鏡において、前記保持ユニットは、形成された開口を覆う態様で開口縁部の上面に前記第１標本載置部材が載置された場合に該第１標本載置部材を保持し、前記対物レンズの光軸上で前記第１標本載置部材に載置された標本の観察を可能にする第１保持部材と、開口を有し、付設された支持部材により前記第２標本載置部材が前記開口を臨む態様で支持された場合に該第２標本載置部材を保持し、前記対物レンズの光軸上で前記第２標本載置部材に載置された標本の観察を可能にする第２保持部材と、前記第１保持部材が前記第２保持部材に対して相対的に移動可能となる態様で、第１保持部材と第２保持部材とを係合する係合手段と、を備え、前記係合手段は、前記第１保持部材に保持された第１標本載置部材の標本の観察を行う場合には、前記第１保持部材と前記第２保持部材とを互いの開口が対向する態様で重なった状態にする一方、前記第２保持部材に保持された第２標本載置部材の標本の観察を行う場合には、前記第２保持部材の外方域に前記第１保持部材を退避移動させた状態にすることを特徴とする。
【手続補正３】
【補正対象書類名】明細書
【補正対象項目名】０００９
【補正方法】変更
【補正の内容】
【０００９】
また、本発明の請求項２に係る顕微鏡は、上述した請求項１において、前記第１標本載置部材の底面は円形状であり、前記第２標本載置部材の底面は矩形状であることを特徴とする。
【手続補正４】
【補正対象書類名】明細書
【補正対象項目名】００１０
【補正方法】変更
【補正の内容】
【００１０】
また、本発明の請求項３に係る顕微鏡は、上述した請求項２において、前記第１保持部材は、形成された円形状の開口を覆う態様で開口縁部の上面に前記第１標本載置部材が載置された場合に該第１標本載置部材を保持し、前記第２保持部材は、矩形状の開口を有し、付設された支持部材により前記第２標本載置部材が前記開口を臨む態様で支持された場合に該第２標本載置部材を保持することを特徴とする。
【手続補正５】
【補正対象書類名】明細書
【補正対象項目名】００１１
【補正方法】変更
【補正の内容】
【００１１】
また、本発明の請求項４に係る顕微鏡は、上述した請求項１において、前記保持ユニットに保持された第１標本載置部材、あるいは第２標本載置部材に対して前記対物レンズを近接離反する態様で変位させる変位機構を備え、前記係合手段は、前記変位機構が前記対物レンズを予め決められた変位量だけ変位するまで前記第１保持部材の相対的な移動を規制することを特徴とする。
また、本発明の請求項５に係る顕微鏡は、上述した請求項１において前記第１保持部材が前記第２保持部材に対して退避移動させた状態、あるいは重なった状態にあるかを検知する検知手段と、切換指令が与えられ、かつ前記検知手段により退避移動させた状態にあることが検知された場合に、前記第１保持部材を前記第２保持部材に重なった状態になるまで移動させる一方、切換指令が与えられ、かつ前記検知手段により重なった状態にあることが検知された場合に、前記第１保持部材を退避移動させる制御手段を備えたことを特徴とする。
また、本発明の請求項６に係る顕微鏡は、上述した請求項５において、前記保持ユニットに保持された第１標本載置部材、あるいは第２標本載置部材に対して前記対物レンズを近接離反する態様で変位させる変位機構を備え、前記制御手段は、切換指令が与えられた場合であっても前記変位機構が前記対物レンズを予め決められた変位量だけ変位するまで前記第１保持部材の相対的な移動を規制することを特徴とする。
【手続補正６】
【補正対象書類名】明細書
【補正対象項目名】００１２
【補正方法】変更
【補正の内容】
【００１２】
本発明の顕微鏡によれば、第１保持部材が、開口を覆う態様で開口縁部の上面に第１標本載置部材が載置された場合に該第１標本載置部材を保持し、第２保持部材が、開口を有し、付設された支持部材により第２標本載置部材が上記開口を臨む態様で支持された場合に該第２標本載置部材を保持し、第１保持部材が第２保持部材に対して相対的に移動可能となる態様で、第１保持部材と第２保持部材とを係合する係合手段が、第１保持部材に保持された第１標本載置部材の標本の観察を行う場合には、第１保持部材と第２保持部材とを互いの開口が対向する態様で重なった状態にする一方、第２保持部材に保持された第２標本載置部材の標本の観察を行う場合には、第２保持部材の外方域に第１保持部材を退避移動させた状態にするので、第１標本載置部材の標本を観察する場合には、第１保持部材の開口を覆う態様で開口縁部の上面に第１標本載置部材を載置するだけで良く、第１標本載置部材が転倒する虞れがない。第２標本載置部材の標本を観察する場合には第１保持部材を退避移動させて第２保持部材に第２標本載置部材を保持させれば良い。従って、種々の形状を有する標本載置部材を安定して、かつ簡単に保持することができ、標本載置部材に載置された標本を良好に観察することができるという効果を奏する。